【手続補正書】
【提出日】平成16年3月12日(2004.3.12)
【手続補正１】
【補正対象書類名】明細書
【補正対象項目名】全文
【補正方法】変更
【補正の内容】
【発明の名称】空気浄化フィルター
【特許請求の範囲】
【請求項１】空気を通過させることで、前記空気中の塵埃および／または臭いを減少させる空気浄化フィルターにおいて、前記空気浄化フィルターは、複数のフィルター材から構成されるとともに、前記複数のフィルター材のうち少なくとも１つが不燃性フィルター材である空気浄化フィルター。
【請求項２】不燃性フィルター材で、他のフィルター材を内包する構成とした請求項１記載の空気浄化フィルター。
【請求項３】不燃性フィルター材で、高分子不織布から成る集塵フィルターおよび／または脱臭フィルターを内包する構成とした請求項２記載の空気浄化フィルター。
【請求項４】不燃性フィルター材をシート状にし、高分子不織布から成る集塵フィルターの上流側に配置した請求項１記載の空気浄化フィルター。
【請求項５】高分子不織布から成る集塵フィルターの下流側に、脱臭フィルターを配置した請求項３および４記載の空気浄化フィルター。
【請求項６】抗菌性処理したフィルター材を設け、不燃性フィルター材の上流側に、前記抗菌性処理したフィルター材を配置した請求項１〜５のいずれか１項に記載の空気浄化フィルター。
【請求項７】浮遊塵埃などを捕集するプレフィルターを設け、最上流側に配置した請求項１〜６のいずれか１項に記載の空気浄化フィルター。
【請求項８】プレフィルターを、高分子繊維ネットとした請求項７記載の空気浄化フィルター。
【請求項９】プレフィルターを、難燃材とした請求項７または８記載の空気浄化フィルター。
【請求項１０】プレフィルターを金網状とした請求項９記載の空気浄化フィルター。
【請求項１１】不燃性フィルター材を有する複数のフィルター材を、枠体内に収設して成る請求項１〜１０のいずれか１項に記載の空気浄化フィルター。
【請求項１２】枠体内に収設した複数のフィルター材のうち、少なくとも最上流側及び最下流側のフィルター材を、接着またはホットメルト等の封止材で、枠体に固定する請求項１１記載の空気浄化フィルター。
【発明の詳細な説明】
【０００１】
【発明の属する技術分野】
本発明は、室内等にあって汚れた空気を浄化する空気清浄機等の空気浄化フィルターに関し、特にタバコの火の粉等を吸込んでも燃えない空気浄化フィルターに関するものである。
【０００２】
【従来の技術】
従来の空気浄化フィルターを組込んだ空気清浄機を、図６の要部断面図を用いて説明する。
【０００３】
図６において、前本体１と後本体２とで箱体を形成し、前面に吸気口３を有するフロントグリル４が前本体１に取り付けられている。このフロントグリル４の内方には粗塵を捕集するプレフィルター５が配置されている。さらにその下流に集塵および脱臭用部材から成るフィルター６が装着される。このプレフィルター５は主として１マイクロメートル以上の粉塵のハウスダストと呼ばれる粗塵を捕集させ、さらに微細な粉塵や臭気ガスを下流のフィルター６で捕集させている。７は隔壁で、吸込口８を有しファン９を固着したモータ１０が取り付けられ、後本体２とで形成するうず室１１内に収設される。そしてこのうず室１１は排気口１２と連通させている。
【０００４】
前記構成でモータ１０を駆動すると、ファン９の回転によって生ずる負圧で、室内の汚れた空気がフロントグリル４の吸気口３から吸い込まれてプレフィルター５で粗塵を捕集し、フィルター６で埃や臭いを除去して排気口１２から室内に清浄空気が還流される。
【０００５】
【発明が解決しようとする課題】
しかしながら、前記従来の構成のプレフィルター５は一般的に通気性が良く低圧損の高分子樹脂製不織布やネット、また発泡体シートなどで構成されているため、万一フロントグリル４から吸込まれたタバコの火の粉によって溶けて穴があくと、以降通り易くなったこの穴を火の粉は素通りして後段の集塵および脱臭用部材から成るフィルター６に達し易くなる。集塵及び脱臭部材は可燃部材であるため着火の可能性を有している。また、前記プレフィルター５は粗塵を捕集し堆積していくことにより集塵するので目詰まりが生じやすいため定期的に清掃を必要とする。しかるに、フロントグリル４の吸気口３の内方にあるプレフィルター５の粗塵の堆積状態は本体の外側からは見えにくく、またフロントグリル４を外した状態でも裏側から見てわかりずらいものであった。このためプレフィルター５に堆積した粗塵もタバコの火の粉が着火する可能性を有している。
【０００６】
本発明は、以上のような従来の課題を解決するもので、タバコの火の粉等を吸込んでも燃えない空気浄化フィルターを提供することを目的としている。
【０００７】
【課題を解決するための手段】
本発明は前記従来の課題を解決するもので、空気を通過させることで、前記空気中の塵埃および／または臭いを減少させる空気浄化フィルターにおいて、前記空気浄化フィルターは、複数のフィルター材から構成されるとともに、前記複数のフィルター材のうち少なくとも１つが不燃性フィルター材である空気浄化フィルターで、これによって、万一、タバコの火の粉等を吸込んでも、不燃性フィルター材を有しているため、空気浄化フィルターが燃えることはないし、また、タバコの火の粉が前記不燃性フィルター材に付着している粗塵に着火しても、不燃性フィルター材の域で燃焼を停止でき、燃えない空気浄化フィルターにすることができる。
【０００８】
【発明の実施の形態】
本発明の請求項１記載の発明は、空気を通過させることで、前記空気中の塵埃および／または臭いを減少させる空気浄化フィルターにおいて、前記空気浄化フィルターは、複数のフィルター材から構成されるとともに、前記複数のフィルター材のうち少なくとも１つが不燃性フィルター材である空気浄化フィルターで、これによって、万一、タバコの火の粉等を吸込んでも、不燃性フィルター材を有しているため、空気浄化フィルターが燃えることはないし、また、タバコの火の粉が前記不燃性フィルター材に付着している粗塵に着火しても、不燃性フィルター材の域で燃焼を停止でき、燃えない空気浄化フィルターにすることができる。
【０００９】
本発明の請求項２記載の発明は、不燃性フィルター材で、他のフィルター材を内包する構成としたもので、万一タバコの火の粉等を吸込んでも、不燃性フィルター材の域で燃焼を停止でき、他のフィルター材が燃えるのを完全に防止できる。
【００１０】
本発明の請求項３記載の発明は、不燃性フィルター材で、高分子不織布から成る集塵フィルターおよび／または脱臭フィルターを内包する構成としたもので、集塵フィルターおよび／または脱臭フィルターが燃えるのを完全に防止できる。
【００１１】
本発明の請求項４記載の発明は、不燃性フィルター材をシート状にし、高分子不織布から成る集塵フィルターの上流側に配置したもので、万一、タバコの火の粉等を吸込んでも、下流側の集塵フィルターが燃えない空気浄化フィルターにすることができる。
【００１２】
本発明の請求項５記載の発明は、高分子不織布から成る集塵フィルターの下流側に、脱臭フィルターを配置したもので、万一、タバコの火の粉等を吸込んでも下流側の脱臭フィルターが燃えない空気浄化フィルターにすることができる。
【００１３】
本発明の請求項６記載の発明は、抗菌性処理したフィルター材を設け、不燃性フィルター材の上流側に、前記抗菌性処理したフィルター材を配置したもので、軟質の不燃性フィルター材を使用しても、カバーし保護することができる。
【００１４】
本発明の請求項７記載の発明は、浮遊塵埃などを捕集するプレフィルターを設け、最上流側に配置したもので、フロントグリルを外したとき、粗塵の堆積状態が確認でき、さらにこの粗塵を掃除機のノズル等で掃除する場合、下流側の軟質の不燃性フィルター材を吸込んで損なわせることもない空気浄化フィルターにすることができる。
【００１５】
本発明の請求項８記載の発明は、プレフィルターを、高分子繊維ネットとしたもので、万一、タバコの火の粉等を吸込んで溶けて穴があいても、下流側の不燃性フィルター材によって燃えない空気浄化フィルターにでき、また安価にすることができる。
【００１６】
本発明の請求項９記載の発明は、プレフィルターを、難燃材としたもので、万一、タバコの火の粉等を吸込んでも、溶けや穴あきの度合いが軽減されるものとなる。
【００１７】
本発明の請求項１０記載の発明は、プレフィルターを金網状としたもので、万一、タバコの火の粉等を吸込んでも、溶けや穴あきが無く、一層安全で燃えない空気浄化フィルターにすることができる。
【００１８】
本発明の請求項１１記載の発明は、不燃性フィルター材を有する複数のフィルター材を、枠体内に収設して成るもので、構成するプレフィルター、抗菌性処理したフィルター材、不燃性フィルター材、集塵や脱臭フィルターの個々の枠材等が不用となり、シート状のフィルターはカット品が使用でき安価に構成できる。
【００１９】
本発明の請求項１２記載の発明は、枠体内に収設した複数のフィルター材のうち、少なくとも最上流側及び最下流側のフィルター材を、接着またはホットメルト等の封止材で、枠体に固定するもので、中間に配置したフィルター材の枠体への固定が不要となり安価に製作できる。
【００２０】
【実施例】
以下、本発明の実施例について図面を参照して説明する。
【００２１】
図１は本発明の実施例１における空気浄化フィルターの部分断面図である。
【００２２】
図１において、２１はポリプロピレン等の高分子素材から成る不織布をプリーツ折り加工して形成された集塵フィルターである。一般的前記高分子フィルターは帯電加工され高い塵埃捕集効率を有し、しかも低圧力損失の特長があるため空気浄化フィルターとして多用されているが、不燃性のものが存在していない。２２はこの集塵フィルター２１の上流側に配置した不燃性フィルター材で、炭素繊維などの不織布シートで構成している。この不織布シートは厚さや目付け量を増やすと強度は強くなるが、圧力損失が増加する。例えば、一般に耐炎繊維とも呼ばれ、アクリル繊維を原料とする繊維直径１３乃至１５マイクロメートルの単繊維から成る耐炎繊維や、ピッチ系炭素繊維とポリエステル系繊維の混合物で平均繊維直径約１１乃至約１５マイクロメートル、目付け２７乃至４３ｇ／ｍ２、厚さ０．５乃至２ミリメートルの耐炎繊維等が使用できる。さらに、上流側には抗菌性処理したフィルター材２３および最上流側には浮遊塵埃などを捕集するプレフィルター２４が配置されている。この抗菌性処理したフィルター材２３でカバーするため不燃性フィルター材２２は軟質の不燃性フィルター材の使用を可能にし、圧力損失の低いものにできるため風量の低下を少なくできる。また、プレフィルター２４の粗塵を掃除機のノズル等で掃除する場合下流側の軟質の不燃性フィルター材２２を吸込んで損なわせなくできる。このプレフィルター２４は、ポリプロピレン樹脂で繊維太さ３００デニール、繊維密度はインチ当り２８乃至５５本のネット状に構成したものや、前記仕様に難燃材を用いて難燃材仕様のものにしたり、さらに金網で構成することができる。２５は前記各フィルターおよびフィルター材を収設する枠体で断面コ字状に折曲した紙製が多用される。２６は枠体２５の補強部材で内方の各フィルターおよびフィルター材の少なくとも最下流側集塵フィルター２１および最上流側プレフィルター２４とを接着またはホットメルトなどの封止材２７で固定している。さらに枠体２５と封止材（図示せず）で同様に固定している。
【００２３】
以上述べたように本実施例によれば下記に示す効果が得られる。
【００２４】
本実施例では、不燃性フィルター材２２を含んだ多層フィルター材から成る空気浄化フィルターとしたので、万一タバコの火の粉等を吸込んでも燃えない空気浄化フィルターにすることができる。
【００２５】
また、不燃性フィルター材２２をシート状にし高分子不織布から成る集塵フィルター２１の上流側に配置した空気浄化フィルターとしたので、万一タバコの火の粉等を吸込んでも下流側の集塵フィルター２２が燃えない空気浄化フィルターにすることができる。
【００２６】
また、前記不燃性フィルター材２２の上流側に抗菌性処理したフィルター材２３を配置した空気浄化フィルターとしたので、軟質の不燃性フィルター材を使用してもカバーし保護することができる。
【００２７】
また、最上流側に浮遊塵埃などを捕集するプレフィルター２４を配置した空気浄化フィルターとしたので、フロントグリルを外したとき粗塵の堆積状態が確認でき、さらにこの粗塵を掃除機のノズル等で掃除する場合下流側の軟質の不燃性フィルター材２２を吸込んで損なわせることもない空気浄化フィルターにすることができる。
【００２８】
また、前記プレフィルター２４を高分子繊維ネットとしたので、万一タバコの火の粉等を吸込んで溶けて穴があいても下流側の不燃性フィルター材２２によって燃えない空気浄化フィルターにでき、また安価にすることができる。
【００２９】
また、前記高分子繊維ネットプレフィルター２４を難燃材としたので、万一タバコの火の粉等を吸込んでも溶けや穴あきの度合いが軽減されるものとなる。
【００３０】
また、前記プレフィルター２４を金網状としたので、万一タバコの火の粉等を吸込んでも溶けや穴あきが無く一層安全で燃えない空気浄化フィルターにすることができる。
【００３１】
また、不燃性フィルター材２２を含んだ多層フィルター材を枠体２５内に収設した空気浄化フィルターとしたので構成するプレフィルター２４、抗菌性処理したフィルター材２３、不燃性フィルター材２２、集塵や脱臭フィルターの個々の枠材等が不用となりシート状のフィルターはカット品が使用でき安価に構成できる。
【００３２】
また、前記枠体２５内に収設した多層フィルター材の内少なくとも最上流側及び最下流側のフィルター材を接着またはホットメルト等の封止材２７で枠体２５に固定してした空気浄化フィルターとしたので、中間に配置したフィルター材の枠体への固定が不要となり安価に製作できる。
【００３３】
図２は本発明の実施例２における空気浄化フィルターの部分断面図である。この実施例２は、図２に示すように実施例１の集塵フィルター２１の下流に活性炭フィルターなどで構成される脱臭フィルター２８を併設した空気浄化フィルターとするもので、実施例１と同部材は同符合で示す。
【００３４】
以上述べたように本実施例によれば下記に示す効果が得られる。
【００３５】
本実施例では、実施例１の構成による効果と共に、高分子不織布から成る集塵フィルター２１の下流側に脱臭フィルター２８を配置した空気浄化フィルターとしたので、万一タバコの火の粉等を吸込んでも下流側の集塵フィルター２１及び脱臭フィルター２８が燃えない空気浄化フィルターにすることができる。
【００３６】
図３は本発明の実施例３における空気浄化フィルターの部分断面図である。
【００３７】
この実施例３は、図３に示すように実施例１の集塵フィルター２１を不燃性フィルター材２２で覆って構成するものであり、実施例１と同部材は同符合で示す。
【００３８】
図４は本発明の実施例４における空気浄化フィルターの部分断面図である。
【００３９】
この実施例４は、図４に示すように実施例２の集塵フィルター２１および脱臭フィルター２８を不燃性フィルター材２２で覆って構成するものであり、実施例２と同部材は同符合で示す。
【００４０】
この実施例３および実施例４によれば下記に示す効果が得られる。
【００４１】
本実施例では、不燃性フィルター材２２で高分子不織布から成る集塵フィルター２１または脱臭フィルター２８を含めて覆って内包構成した空気浄化フィルターとしたので、本体への前後逆装着された場合、万一タバコの火の粉等を吸込んでも集塵および脱臭フィルター２１、２８が燃えない空気浄化フィルターにすることができる。
【００４２】
図５は本発明の実施例５における空気浄化フィルターの部分断面図である。
【００４３】
この実施例５は、図５に示すように集塵フィルター３０および脱臭フィルター２８および抗菌性処理したフィルター材２３を不燃性フィルター材２２で覆って熱溶着性シート２９を介して封止構成するものであり、実施例１から実施例４と同部材は同符合で示す。なお、この集塵フィルター３０は実施例１から実施例４で示すようなポリプロピレン等の高分子素材から成る不織布をプリーツ折り加工して形成されたものに限らずポリプロピレン等の高分子素材から成るシート状不織布であってもよい。
【００４４】
この実施例５によれば下記に示す効果が得られる。
【００４５】
本実施例では、不燃性フィルター材２２で多層フィルターを覆って内包構成した空気浄化フィルターとしたので、万一タバコの火の粉等を吸込んでも燃えない空気浄化フィルターにすることができる。
【００４６】
【発明の効果】
以上述べたように、本発明の空気浄化フィルターは、不燃性フィルター材を含んだ多層フィルター材から成る空気浄化フィルターの構成としたことによって、万一タバコの火の粉等を吸込んでも燃えない空気浄化フィルターを提供することができる。
【図面の簡単な説明】
【図１】本発明の実施例１における空気浄化フィルターの部分断面図
【図２】本発明の実施例２における空気浄化フィルターの部分断面図
【図３】本発明の実施例３における空気浄化フィルターの部分断面図
【図４】本発明の実施例４における空気浄化フィルターの部分断面図
【図５】本発明の実施例５における空気浄化フィルターの部分断面図
【図６】従来の空気浄化フィルターを組込んだ空気清浄機の要部断面図
【符号の説明】
２１、３０  集塵フィルター
２２  不燃性フィルター材
２３  抗菌性処理したフィルター材
２４  プレフィルター
２５  枠体
２７  封止材
２８  脱臭フィルター